(57)【特許請求の範囲】
【請求項１】
外装材と内装材との間に、金属製フレーム材が、これら外装材と内装材とに接触して介設されて、外装材と内装材との間に空間部が形成されており、かつ、
前記金属製フレーム材に塗布式反射断熱材が塗布されており、外装材と内装材のいずれか一方又は両方が、この反射断熱材の塗布層を介して、金属製フレーム材と接触されていることを特徴とする断熱壁の構造。
【請求項２】
外装材と内装材との間の空間部に断熱材が装填されている請求項１に記載の断熱壁の構造。
【請求項３】
前記塗布式反射断熱材が防錆機能を有し、この反射断熱材によってフレーム材が防錆処理されている請求項１に記載の断熱壁の構造。
【発明の詳細な説明】
【０００１】
【発明の属する技術分野】
本発明は、断熱壁の構造に関する。
【０００２】
【従来の技術】
例えば、住宅等の鉄骨造りの建物の壁では、図３（イ）に示すように、外装材５１と内装材５２とが、鋼製フレーム材５３を挟んで、間隔をおいて備えられ、外装材５１と内装材５２との間に断熱用の空間部５４が備えられている。あるいは、図３（ロ）に示すように、外装材５１と内装材５２の間の空間部５４にグラスウール等の断熱材５５が装填されることも多い。
【０００３】
【発明が解決しようとする課題】
ところで、上記のような壁において、壁厚を薄くすることが求められる場合に、そのための手段として、同図（イ）（ロ）に示すように、外装材５１と内装材５２とを鋼製フレーム材５３に接触状態にして、外装材５１と内装材５２との間隔寸法を小さくすることが考えられる。
【０００４】
しかしながら、このように、外装材５１と内装材５２とを鋼製フレーム材５３に接触させると、鋼製フレーム材５３の備えられている部分において、外装材５１と内装材５２とが鋼製フレーム材５３を介して連続するため、この部分がヒートブリッジとなって、壁の断熱性能を損なわせてしまうという問題が発生する。
【０００５】
そこで、例えば、図４に示すように、外装材５１と鋼製フレーム材５３との間に発砲材等の断熱材５６を挟んで、外装材５１と鋼製フレーム材５３との間の熱伝導を遮るようにすることも考えられるが、それでは、断熱材の厚さ分、壁厚が大きくなり、壁厚を薄くしようとする趣旨に反する。また、ビス５７のききも悪い。
【０００６】
本発明は、上記のような従来の問題点に鑑み、外装材と内装材とを金属製フレーム材に接触させて壁厚を薄くしながらも、高い断熱性能を発揮することができる断熱壁の構造を提供することを課題とする。
【０００７】
【課題を解決するための手段】
上記課題は、外装材と内装材との間に、金属製フレーム材が、これら外装材と内装材とに接触して介設されて、外装材と内装材との間に空間部が形成されており、かつ、
前記金属製フレーム材に塗布式反射断熱材が塗布されており、外装材と内装材のいずれか一方又は両方が、この反射断熱材の塗布層を介して、金属製フレーム材と接触されていることを特徴とする断熱壁の構造によって解決される。
【０００８】
即ち、この構造では、外装材と内装材との間に、金属製フレーム材が、これら外装材と内装材とに接触して介設されていることにより、外装材と内装材との間隔寸法が小さくなり、壁厚の薄い壁を実現することができる。金属製フレーム材に塗布した塗布式反射断熱材の塗布層の層厚は、無視し得る程度の極めて薄いものであり、反射断熱材のこの塗布層によって外装材と内装材との間隔寸法を大きくするということはない。
【０００９】
しかも、断熱性能面においても、外装材と内装材との間に形成されている空間部によって断熱性能が発揮されるのはもとより、外装材と金属製フレーム材、及び／又は、内装材と金属製フレーム材は、金属製フレーム材に塗布した塗布式反射断熱材の塗布層によって、熱の伝導を遮断されているから、金属製フレーム材の存在する部分がヒートブリッジとなることはなく、従って、高い断熱性能を発揮することができる。また、上記のようなヒートブリッジを無くすことができることから、内部結露の発生防止作用も奏される。
【００１０】
外装材と内装材との間の空間部に断熱材が装填されている構造とすることによって、より一層高い断熱性能が発揮されるのはもとより、外壁材や内壁材そのものに塗布式反射断熱材を塗布して断熱を行うような場合に比べて、塗布式反射断熱材の使用量を節約しながら、合理的、経済的に断熱壁を形成していくことができる。
【００１１】
上記構造において、塗布式反射断熱材が防錆機能を有し、この反射断熱材によってフレーム材が防錆処理されている構造とすることにより、フレーム材に対する通常の防錆塗装を省略することができて、工数上の有利性を発揮することができる。
【００１２】
【発明の実施の形態】
次に、本発明の実施形態を図面に基づいて説明する。
【００１３】
図１（イ）に示す第１実施形態の断熱壁１０において、１は外装材、２は内装材、３はフレーム材である。
【００１４】
フレーム材３は、角形鋼管材からなり、その外周面には、その全周にわたって、塗布式反射断熱材の塗布層７が備えられている。塗布式反射断熱材としては、例えば、ラテックス樹脂をベースとし、ミクロセラミックバルーンを塗布剤化した、防錆機能をも有する液状セラミックコーティング材が好適に用いられる。
【００１５】
この反射断熱材による塗布層７は、熱を反射して断熱を行うものであり、グラスウールなどの断熱材とは、断熱のメカニズムを異にする。例えば、厚さ０．３８ｍｍの塗布層７は、一般的な断熱材であるグラスウールを厚さ５０ｍｍ以上にしたものと同等、ないしはそれ以上の断熱性能を発揮することができる。
【００１６】
また、上記の塗布式反射断熱材７は、防錆機能をも備えており、従って、この断熱材７を、上記のように、フレーム材３の外周面全周全域にわたって塗布することによって、フレーム材３の錆の発生を防ぐことができ、フレーム材３に対する通常の防錆塗装を省略することも可能である。
【００１７】
断熱壁１０は、外装材１と内装材２との間に、鋼製フレーム材３を介在させ、外装材１とフレーム材３、及び、内装材２とフレーム材３とを、それぞれ接触状態に組み合わせて構成される。そして、外装材１との内装材２との間の空間部４には、グラスウールなどによる一般的な断熱材５が装填される。
【００１８】
上記の断熱壁１０では、外装材１と内装材２とがいずれも鋼製フレーム材３と接触されている構成であるから、外装材１と内装材２との間隔寸法を小さくでき、壁厚の薄い断熱壁１０を実現できる。
【００１９】
しかも、外装材１と内装材２との間の空間部４にはグラスウール等による断熱材５が装填されていて断熱性能が発揮されるのはもとより、外装材１と鋼製フレーム材３、及び、内装材２と鋼製フレーム材３は、鋼製フレーム材３の外周面に塗布した塗布式反射断熱材の塗布層７を介して接触されているから、この塗布層７によって、熱の伝導を遮断され、そのため、鋼製フレーム材３の存在する部分がヒートブリッジとなることもなく、従って、高い断熱性能が発揮され、また、内部結露の発生も防がれる。
【００２０】
また、鋼製フレーム材３に塗布した反射断熱材の塗布層７の層厚は、例えば０．３８ｍｍなどと極めて薄いものであり、この塗布層７が外装材１と内装材２との間隔寸法を大きくしてしまうというようなこともない。
【００２１】
図１（ロ）に示す第２実施形態の断熱壁１０は、グラスウールによる断熱材の使用を排除したものである。外装材１と内装材２との間の空間部４が断熱層となって断熱効果が発揮される。
【００２２】
図１（ハ）に示す第３実施形態の断熱壁１０は、フレーム材３において、外装材１と接触される面、及び、内装材２と接触される面においてのみ、塗布式反射断熱材の塗布層７を形成したものである。また、図２（イ）に示す第４実施形態の断熱壁１０は、フレーム材３において、外装材１と接触される面においてのみ、塗布式反射断熱材の塗布層７を形成したものである。また、図２（ロ）に示す第５実施形態の断熱壁１０は、フレーム材３において、内装材２と接触される面においてのみ、反射断熱材の塗布層７を形成したものである。このように、外装材１と内装材２のいずれか一方又は両方が、反射断熱材の塗布層７を介して、鋼製フレーム材と接触される構成であれば、鋼製フレーム材３の存在する部分がヒートブリッジとなるのを防ぐことができ、高い断熱性能が発揮される。
【００２３】
図２（ハ）に示す第６実施形態の断熱壁１０は、鋼製フレーム材３として、溝型材ないしはリップ溝型材が用いられており、その表面全体に、反射断熱材の塗布層７が形成されたものであり、フレーム材３の内部にもグラスウール等による断熱材５が装填されている。このように、フレーム材３は、角形管材以外の各種形状を有するものであってよい。また、図示しないが、この場合も、反射断熱材の塗布層７をフレーム材３に局部的に形成し、外装材１と内装材２のいずれか一方又は両方が、反射断熱材の塗布層７を介して、鋼製フレーム材３と接触される構成となされていてもよい。
【００２４】
なお、上記実施形態では、フレーム材として鋼製のものを用いた場合について説明しているが、フレーム材は，鋼以外の各種金属製のものであってよい。また、外装材１、内装材２には、各種の材質、各種形式のものが用いられてよい。
【００２５】
【発明の効果】
以上の次第で、本発明の断熱壁の構造は、外装材と内装材との間に、金属製フレーム材が、これら外装材と内装材とに接触して介設されているものであるから、外装材と内装材との間隔寸法を小さくして、壁厚の薄い壁を実現することができる。
【００２６】
しかも、外装材と内装材との間には空間部が設けられ、この空間部によって断熱性能が発揮されるのはもとより、外装材と金属製フレーム材、及び／又は、内装材と金属製フレーム材は、金属製フレーム材に塗布した塗布式反射断熱材の塗布層によって、熱の伝導を遮断されているから、金属製フレーム材の存在する部分がヒートブリッジとなることはなく、従って、全体として高い断熱性能を発揮することができる。
【図面の簡単な説明】
【図１】図（イ）は第１実施形態の断熱壁を示す平面断面図、図（ロ）は第２実施形態の断熱壁を示す平面断面図、図（ハ）は第３実施形態の断熱壁を示す平面断面図である。
【図２】図（イ）は第４実施形態の断熱壁を示す平面断面図、図（ロ）は第５実施形態の断熱壁を示す平面断面図、図（ハ）は第６実施形態の断熱壁を示す平面断面図である。
【図３】図（イ）（ロ）はそれぞれ従来の断熱壁を示す平面断面図である。
【図４】従来の他の断熱壁を示す平面断面図である。
【符号の説明】
１…外装材
２…内装材
３…フレーム材
４…空間部
５…グラスウール（断熱材）
７…反射断熱材の塗布層
１０…断熱壁
【図１】
0004014735.tif 000002
【図２】
0004014735.tif 000003
【図３】
0004014735.tif 000004
【図４】
0004014735.tif 000005